(57)【要約】【課題】放電電極を簡単に清掃でき、利便性を向上することができる携帯型イオン送出装置を提供する。【解決手段】吸込口６及び吹出口７を開口する筐体２と、筐体２内に設けられて吸込口６と吹出口７とを連結する空気通路８と、空気通路８内に配される送風ファン１７と、送風ファン１７と吹出口７との間に配されるとともに放電電極１８ａを有してイオンを発生するイオン発生装置１８と、吹出口７を開閉する蓋部１０と、蓋部１０に一体に設けられるとともに蓋部１０の開閉時に放電電極１８ａに接触して放電電極１８ａを清掃する清掃部１２とを備えた。【選択図】図５
2012125276.tif 000002
【特許請求の範囲】
【請求項１】
吸込口及び吹出口を開口する筐体と、前記筐体内に設けられて前記吸込口と前記吹出口とを連結する空気通路と、前記空気通路内に配される送風ファンと、放電電極を有して前記送風ファンと前記吹出口との間にイオンを放出するイオン発生装置と、前記吹出口を開閉する蓋部と、前記蓋部に一体に設けられるとともに前記蓋部の開閉時に前記放電電極に接触して前記放電電極を清掃する清掃部とを備えたことを特徴とする携帯型イオン送出装置。
【請求項２】
前記蓋部により前記吹出口を閉じた際に前記清掃部が前記放電電極から離れることを特徴とする請求項１に記載の携帯型イオン送出装置。
【請求項３】
前記放電電極が凹部内に立設される針状に形成されることを特徴とする請求項１または請求項２に記載の携帯型イオン送出装置。
【請求項４】
前記清掃部は前記蓋部の前記吹出口に対向する対向面から延びた延設部と、前記延設部の先端部に配される可撓性部材とを有し、前記可撓性部材が前記放電電極に接触することを特徴とする請求項１〜請求項３のいずれかに記載の携帯型イオン送出装置。
【請求項５】
前記延設部が前記蓋部に対して折り畳み可能に形成され、折り畳まれた前記延設部が前記対向面に沿って配置されることを特徴とする請求項４に記載の携帯型イオン送出装置。
【請求項６】
前記吹出口に配されるグリルを有し、前記蓋部により前記吹出口を閉じる際に前記グリルによって前記清掃部が案内されることを特徴とする請求項１〜請求項５のいずれかに記載の携帯型イオン送出装置。
【請求項７】
前記イオン発生装置によってＨ+（Ｈ2Ｏ）ｍ（ｍは任意の自然数）から成る正イオンと、Ｏ2-（Ｈ2Ｏ）ｎ（ｎは任意の自然数）から成る負イオンとを発生したことを特徴とする請求項１〜請求項６のいずれかに記載の携帯型イオン送出装置。
【発明の詳細な説明】
【技術分野】
【０００１】
本発明は、携帯可能な筐体内からイオンを送出する携帯型イオン送出装置に関する。
【背景技術】
【０００２】
従来の携帯型イオン送出装置は特許文献１に開示されている。この携帯型イオン送出装置は携帯可能な薄箱状の筐体に吸込口及び吹出口を開口する。筐体内には吸込口と吹出口とを連結する空気通路が設けられ、空気通路内に送風ファン及びイオン発生装置が配される。
【０００３】
イオン発生装置は複数の放電電極を有し、放電によってＨ+（Ｈ2Ｏ）ｍから成る正イオンと、Ｏ2-（Ｈ2Ｏ）ｎから成る負イオンとを発生する（ｍ、ｎは任意の自然数）。正イオン及び負イオンによって空気中の浮遊菌等のアレルゲン成分が除去または不活化される。
【０００４】
携帯型イオン送出装置は筐体を使用者の首から吊り下げた状態等によって携行され、送風ファン及びイオン発生装置が駆動される。送風ファンの駆動によって吸込口から外気が空気通路内に流入し、吹出口から使用者の頭部等に向けて空気流が送出される。空気流にはイオン発生装置で発生した正イオン及び負イオンが含まれる。これにより、頭部周辺のアレルゲン成分を除去または不活化して空気を浄化し、感染症やアレルギーを低減することができる。
【先行技術文献】
【特許文献】
【０００５】
【特許文献１】特開２００７−３３０２９１号公報（第１１頁−第１８頁、第１図）
【発明の概要】
【発明が解決しようとする課題】
【０００６】
表１は吹出口から送出される気流のイオン濃度の推移を示している。イオン発生装置の駆動開始から所定時間毎に正イオン及び負イオンそれぞれについて１０回の測定を行っている。また、表１の最下段は、１０回目の測定後にイオン発生装置を取り外して放電電極を拭き取りにより清掃を行った後のイオン濃度を示している。
【０００７】
【表１】
2012125276.tif 000003
【０００８】
表１によると、時間の経過に伴って放電電極に付着した埃等の異物によりイオン濃度が減少することが確認される。また、放電電極の拭き取りによる清掃後にイオン濃度が回復することが確認される。このため、放電電極の清掃を定期的に行うことによりイオン濃度の低下を防止することができる。
【０００９】
しかしながら、放電電極を清掃するためには筐体を分解して放電電極を露出させる複雑な作業が必要となる。このため、一般の使用者にとっては清掃を行うことが困難となるため携帯型イオン送出装置の利便性が悪い問題があった。
【００１０】
本発明は、放電電極を簡単に清掃でき、利便性を向上できる携帯型イオン送出装置を提供することを目的とする。
【課題を解決するための手段】
【００１１】
上記目的を達成するために本発明は、吸込口及び吹出口を開口する筐体と、前記筐体内に設けられて前記吸込口と前記吹出口とを連結する空気通路と、前記空気通路内に配される送風ファンと、放電電極を有して前記送風ファンと前記吹出口との間にイオンを放出するイオン発生装置と、前記吹出口を開閉する蓋部と、前記蓋部に一体に設けられるとともに前記蓋部の開閉時に前記放電電極に接触して前記放電電極を清掃する清掃部とを備えたことを特徴としている。
【００１２】
この構成によると、蓋部により吹出口を閉じた状態で携帯型イオン送出装置が携行される。蓋部を開閉すると清掃部が放電電極に接触して放電電極を清掃する。蓋部を開いて送風ファン及びイオン発生装置が駆動されると、吸込口から外気が空気通路に流入し、吹出口からイオンを含む空気が送出される。これにより、使用者の周囲のアレルゲンの除去効果やリラクゼーション効果等を得ることができる。
【００１３】
また本発明は、上記構成の携帯型イオン送出装置において、前記蓋部により前記吹出口を閉じた際に前記清掃部が前記放電電極から離れることを特徴としている。この構成によると、携帯型イオン送出装置の不使用時に清掃部が放電電極に接触しないため、常時接触することによる清掃部の変形が防止される。
【００１４】
また本発明は、上記構成の携帯型イオン送出装置において、前記放電電極が凹部内に立設される針状に形成されることを特徴としている。この構成によると、針状の放電電極の先端に付着しやすい異物が清掃部により除去される。
【００１５】
また本発明は、上記構成の携帯型イオン送出装置において、前記清掃部は前記蓋部の前記吹出口に対向する対向面から延びた延設部と、前記延設部の先端部に配される可撓性部材とを有し、前記可撓性部材が前記放電電極に接触することを特徴としている。この構成によると、蓋部を閉じると吹出口が対向面で覆われて延設部が空気通路内に侵入し、可撓性部材により放電電極が清掃される。
【００１６】
また本発明は、上記構成の携帯型イオン送出装置において、前記延設部が前記蓋部に対して折り畳み可能に形成され、折り畳まれた前記延設部が前記対向面に沿って配置されることを特徴としている。この構成によると、蓋部により吹出口を開いた際に、延設部が折り畳まれて蓋部の対向面に沿って収納される。
【００１７】
また本発明は、上記構成の携帯型イオン送出装置において、前記吹出口に配されるグリルを有し、前記蓋部により前記吹出口を閉じる際に前記グリルによって前記清掃部が案内されることを特徴としている。この構成によると、グリルにより吹出口からの異物の侵入を防止するとともに、グリルの案内によって清掃部が放電電極上を通過する。
【００１８】
また本発明は、上記構成の携帯型イオン送出装置において、前記イオン発生装置によってＨ+（Ｈ2Ｏ）ｍ（ｍは任意の自然数）から成る正イオンと、Ｏ2-（Ｈ2Ｏ）ｎ（ｎは任意の自然数）から成る負イオンとを発生したことを特徴としている。この構成によると、正イオン及び負イオンにより生成される水酸基ラジカルや過酸化水素から成る活性種によってアレルゲン成分が除去または不活化される。
【発明の効果】
【００１９】
本発明によると、吹出口を開閉する蓋部に一体に設けた清掃部が蓋部の開閉時にイオン発生装置の放電電極に接触するので、放電電極を簡単に清掃してイオン濃度の低下を防止することができる。従って、携帯型イオン送出装置の利便性を向上することができる。
【図面の簡単な説明】
【００２０】
【図１】本発明の第１実施形態の携帯型イオン送出装置を正面から見た斜視図
【図２】本発明の第１実施形態の携帯型イオン送出装置を背面から見た斜視図
【図３】本発明の第１実施形態の携帯型イオン送出装置の分解斜視図
【図４】本発明の第１実施形態の携帯型イオン送出装置のイオン発生装置の正面図
【図５】本発明の第１実施形態の携帯型イオン送出装置の蓋部を閉じた状態の側面断面図
【図６】本発明の第１実施形態の携帯型イオン送出装置の蓋部を取り外す状態を示す側面断面図
【図７】本発明の第１実施形態の携帯型イオン送出装置の蓋部を取り外す状態を示す側面断面図
【図８】本発明の第１実施形態の携帯型イオン送出装置の蓋部を取り外した状態を示す側面断面図
【図９】本発明の第１実施形態の携帯型イオン送出装置の蓋部を装着する状態を示す側面断面図
【図１０】本発明の第２実施形態の携帯型イオン送出装置を示す上面図
【図１１】本発明の第２実施形態の携帯型イオン送出装置を示す側面断面図
【図１２】本発明の第２実施形態の携帯型イオン送出装置の蓋部を示す背面図
【図１３】図１２のＢ−Ｂ断面図
【図１４】本発明の第２実施形態の携帯型イオン送出装置の蓋部の清掃部を折り畳んだ状態を示す背面図
【発明を実施するための形態】
【００２１】
以下に本発明の実施形態を図面を参照して説明する。図１、図２は第１実施形態の携帯型イオン送出装置を正面から見た斜視図及び背面から見た斜視図である。携帯型イオン送出装置１は携帯可能な大きさに形成された平面視略矩形の薄箱状の筐体２を備えている。
【００２２】
筐体２の前面２ａには表示部４が設けられる。表示部４は液晶表示パネル等により形成され、携帯型イオン送出装置１の動作状態等を表示する。筐体２の一方の側面２ｃには電源スイッチ５が設けられる。筐体２の上面２ｄには吹出口７が開口する。
【００２３】
筐体２の背面２ｂは回動自在のカバー部３により覆われる。カバー部３は吹出口７から離れた下端部で筐体２に枢支され、筐体２の背面２ｂには複数の小孔から成る吸込口６が開口する。図１に示すようにカバー部３を閉じると吸込口６及び吸込口６の周囲が覆われ、図２に示すようにカバー部３を開くと吸込口６が露出する。また、カバー部３を開いた際にカバー部３の支持によって筐体２を卓上に立設して携帯型イオン送出装置１を設置することができる。
【００２４】
吹出口７は着脱自在の蓋部１０が嵌合して開閉される。蓋部１０はストラップ１１を介して筐体２の背面２ｂに設けた突起部２ｈに連結される。蓋部１０には閉じた際に吹出口７内に挿入される一対の清掃部１２が突出して設けられる。清掃部１２は蓋部１０の吹出口７に対向する対向面から延びた延設部１２ａと、延設部１２ａの先端部に配したブラシ状の可撓性部材から成る可撓部１２ｂとを有している。可撓部１２ｂをスポンジ状の樹脂等により形成してもよい。
【００２５】
図３は携帯型イオン送出装置１の分解斜視図を示している。筐体２は背面２ｂを形成する背面パネル２ｆ及び前面２ａを形成する前面パネル２ｅを有している。背面パネル２ｆは前面側を開口して上面断面が断面コ字状の箱状に形成される。背面パネル２ｆの前面の開口部は仕切パネル２２により覆われる。仕切パネル２２の前面には前面パネル２ｅが係着される。前面パネル２ｅ及び背面パネル２ｆの上部には吹出口７を開口するキャップ２ｇが被嵌される。
【００２６】
仕切パネル２２によって筐体２の前面側上部には隔離室２２ｂが形成され、前面側下部には隔離室２２ｃが形成される。隔離室２２ｂ、２２ｃにはそれぞれイオン発生装置１８、バッテリ１９が収納される。また、仕切パネル２２の背面側には送風ファン１７（図５参照）を備えた空気通路８（図５参照）が形成される。
【００２７】
図４はイオン発生装置１８の正面図を示している。イオン発生装置１８は仕切パネル２２に設けた貫通孔２２ｄ（図３参照）に対向する凹部１８ｃが２箇所に形成され、凹部１８ｃ内にはそれぞれ針状の放電電極１８ａが立設される。
【００２８】
放電電極１８ａには交流波形またはインパルス波形から成る電圧が印加される。一方の放電電極１８ａには正電圧が印加され、電離により発生するイオンが空気中の水分と結合して主としてＨ+（Ｈ2Ｏ）ｍから成る電荷が正のクラスタイオンが形成される。他方の放電電極１８ａには負電圧が印加され、電離により発生するイオンが空気中の水分と結合して主としてＯ2-（Ｈ2Ｏ）ｎから成る電荷が負のクラスタイオンが形成される。ここで、ｍ、ｎは任意の自然数である。
【００２９】
Ｈ+（Ｈ2Ｏ）ｍ及びＯ2-（Ｈ2Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ2Ｏ2（過酸化水素）を浮遊菌、カビ、ウィルス、花粉、ダニ等のアレルゲン成分の表面上で凝集生成してこれらを除去または不活性化する。これにより、感染症やアレルギー症の発症を抑制することができる。ここで、ｍ’、ｎ’は任意の自然数である。
【００３０】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３１】
図５は携帯型イオン送出装置１の側面断面図を示している。背面パネル２ｆ内には仕切パネル２２により前面が覆われて吸込口６と吹出口７とを連結する空気通路８が形成される。空気通路８内には遠心ファンから成る送風ファン１７が配される。送風ファン１７の吸気口（不図示）は吸込口６に対向して配され、排気口（不図示）が吹出口７の方向に向けて配される。
【００３２】
送風ファン１７は背面パネル２ｆに対して軸方向に所定の距離を隔てて配され、吸込口６には背面パネル２ｆの内面側に固着して塵埃を捕集するフィルター１６が配される。また、仕切パネル２２の背面側には携帯型イオン送出装置１の制御回路を実装した制御基板（不図示）が取り付けられる。
【００３３】
同図に示すように、蓋部１０により吹出口７を閉じた状態で清掃部１２が空気通路８内に侵入する。そして、清掃部１２の可撓部１２ｂが貫通孔２２ｄを介してイオン発生装置１８の凹部１８ｃ内に配される。この時、可撓部１２ｂは放電電極１８ａから離れ、吹出口７から遠い位置に配される。
【００３４】
図６〜図８は携帯型イオン送出装置１の運転を行うために蓋部１０を取り外す際の動作を示す側面断面図を示している。図６に示すように蓋部１０を吹出口７から引き出すと可撓部１２ｂが放電電極１８ａに接触する。この時、放電電極１８ａに付着した埃等の異物が除去される。そして、図７に示すように可撓部１２ｂが仕切パネル２２に摺動し、図８に示すように蓋部１０が取り外される。これにより、吹出口７から気流を送出することができる。
【００３５】
また、蓋部１０を装着する際には図９に示すように可撓部１２ｂが仕切パネル２２に摺動し、前述の図６、図５に示すように可撓部１２ｂが凹部１８ｃ内に配される。この時も同様に、可撓部１２ｂが放電電極１８ａに接触し、放電電極１８ａに付着した埃等の異物が除去される。
【００３６】
上記構成の携帯型イオン送出装置１において、携帯型イオン送出装置１はカバー部３を閉じた状態で携行される。カバー部３を所望の角度に開いて卓上に置くと、カバー部３の支持により筐体２が卓上に立設される。蓋部１０を取り外して電源スイッチ５が入れられると送風ファン１７及びイオン発生装置１８が駆動される。送風ファン１７の駆動によって矢印Ａ１（図８参照）に示すように吸込口６を介して空気通路８内に外気が流入する。この時、外気に含まれる塵埃がフィルター１６により捕集される。
【００３７】
空気通路８の送風ファン１７と吹出口７との間には貫通孔２２ａを介してイオン発生装置１８から正イオン及び負イオンが放出される。矢印Ａ２（図８参照）に示すように空気通路８を流通する空気にはイオン発生装置１８から放出された正イオン及び負イオンが含まれる。そして、吹出口７から使用者の頭部等に向けて正イオン及び負イオンを含む空気流が送出される。これにより、使用者の周囲のアレルゲン成分が除去または不活性化される。
【００３８】
また、携帯型イオン送出装置１の携行時にカバー部３が閉じられると、吸込口６がカバー部３により覆われる。これにより、フィルター１６に付着した塵埃の脱落が防止され、周囲への塵埃の飛散や衣服への塵埃の付着を防止することができる。
【００３９】
携帯型イオン送出装置１を使用者の首から吊り下げて携行した状態や把持した状態で電源スイッチ５が入れられると、背面パネル２ｆとカバー部３との隙間を介して外気が吸込口６に導かれる。そして、イオンを含む空気流が吹出口７から上方に向けて送出される。これにより、携帯型イオン送出装置１の携行時においても使用者の周囲のアレルゲン成分を除去または不活性化することができる。
【００４０】
本実施形態によると、吹出口７を開閉する蓋部１０に一体に設けた清掃部１２の可撓部１２ｂが蓋部１０の開閉時にイオン発生装置１８の放電電極１８ａに接触するので、放電電極１８ａを簡単に清掃してイオン濃度の低下を防止することができる。従って、携帯型イオン送出装置１の利便性を向上することができる。
【００４１】
また、蓋部１０により吹出口７を閉じた際に清掃部１２が放電電極１８ａから離れるので、携帯型イオン送出装置１の不使用時に清掃部１２が放電電極１８ａに接触しないため、常時接触することによる清掃部１２の変形を防止することができる。
【００４２】
また、放電電極１８ａは凹部１８ｃ内に立設される針状に形成されるため先端に埃等の異物が付着しやすく、清掃部１２による異物の除去効果が大きい。また、携帯型イオン送出装置１の不使用時に清掃部１２の可撓部１２ｂを凹部１８ｃ内に配して変形を防止することができる。
【００４３】
また、清掃部１２が蓋部１０から延びる延設部１２ａと延設部１２ａの先端部に配される可撓性部材の可撓部１２ｂから成るので、放電電極１８ａを清掃する清掃部１２を簡単に実現することができる。
【００４４】
また、イオン発生装置１８によってＨ+（Ｈ2Ｏ）ｍ（ｍは任意の自然数）から成る正イオンと、Ｏ2-（Ｈ2Ｏ）ｎ（ｎは任意の自然数）から成る負イオンとを発生したので、正イオン及び負イオンにより生成される水酸基ラジカルや過酸化水素によってアレルゲン成分を確実に除去または不活化することができる。
【００４５】
次に、図１０は第２実施形態の携帯型イオン送出装置１の上面図を示している。以下に示す本実施形態の図面において、説明の便宜上、前述の図１〜図９に示す第１実施形態と同様の部分には同一の符号を付している。本実施形態は吹出口７にグリル７ａが設けられ、清掃部１２が回動自在に形成される。その他の部分は第１実施形態と同様である。
【００４６】
グリル７ａは格子状に形成され、吹出口７からの金属製のピンやクリップ等の異物の侵入を防止することができる。グリル７ａにより仕切られた所定位置の開口部７ｂには清掃部１２が挿通可能になっている。図１１は蓋部１０を吹出口を閉じる際の状態を示す側面断面図である。吹出口７の開口部７ｂに挿入される清掃部１２はグリル７ａによって案内されて可撓部１２ｂが仕切パネル２２上を摺動する。そして、可撓部１２ｂが放電電極１８ａと接触し、蓋部１０が閉じられる。グリル７ａの案内によって可撓部１２ｂが正確に放電電極１８ａ上を通過するため、確実に放電電極１８ａの異物を除去することができる。
【００４７】
図１２は蓋部１０の背面図を示しており、図１３は図１２のＢ−Ｂ断面図を示している。清掃部１２の延設部１２ａは軸部１２ｃで回動自在に形成され、清掃部１２を折り畳み可能になっている。吹出口７の対向面を形成する蓋部１０の背面側には清掃部１２を収納する収納部１０ａが凹設される。
【００４８】
蓋部１０により吹出口７を閉じる際には延設部１２ａが回動して蓋部１０から突出する位置に配され、グリル７ａの開口部７ｂ（図１０参照）に挿通される。蓋部１０が取り外されると、図１３の一点鎖線Ｄ及び図１４に示すように折り畳まれた清掃部１２が蓋部１０の背面に沿って配置され、収納部１０ａに収納される。これにより、吹出口７から取り外された蓋部１０を容易に携行することができる。
【００４９】
本実施形態によると、第１実施形態と同様の効果を得ることができる。また、清掃部１２の延設部１２ｂが蓋部１０に対して折り畳み可能に形成されるので、取り外された蓋部１０を容易に携行することができる。
【００５０】
また、吹出口７に配されるグリル７ａによって清掃部１２が案内されるので、グリル７ａの案内によって可撓部１２ｂが正確に放電電極１８ａ上を通過する。従って、確実に放電電極１８ａの異物を除去することができるとともに、吹出口７からの異物の侵入を防止することができる。
【００５１】
尚、清掃部１２を折り畳んだ状態で蓋部１０を吹出口７に装着できないようにするとより望ましい。これにより、放電電極１８ａの清掃を確実に行うことができる。例えば、折り畳まれた清掃部１２がグリル７ａに当接するように形成することにより、蓋部１０の装着を規制することができる。
【００５２】
第１、第２実施形態において、イオン発生装置１８によって負イオンのみを放出してもよい。これにより、使用者のリラクゼーション効果を得ることができる。
【産業上の利用可能性】
【００５３】
本発明によると、携帯可能な筐体内にイオン発生装置を備えた携帯型イオン送出装置に利用することができる。
【符号の説明】
【００５４】
１    携帯型イオン送出装置
２    筐体
２ｅ  前面パネル
２ｆ  背面パネル
２ｇ  キャップ
３    カバー部
４    表示部
５    電源スイッチ
６    吸込口
７    吹出口
７ａ  グリル
８    空気通路
１０    蓋部
１０ａ  収納部
１１    ストラップ
１２    清掃部
１２ａ  延設部
１２ｂ  可撓部
１６    フィルター
１７    送風ファン
１８    イオン発生装置
１８ａ  放電電極
１８ｃ  凹部
１９    バッテリ
２２    仕切パネル
【図１】
2012125276.tif 000004
【図２】
2012125276.tif 000005
【図３】
2012125276.tif 000006
【図４】
2012125276.tif 000007
【図５】
2012125276.tif 000008
【図６】
2012125276.tif 000009
【図７】
2012125276.tif 000010
【図８】
2012125276.tif 000011
【図９】
2012125276.tif 000012
【図１０】
2012125276.tif 000013
【図１１】
2012125276.tif 000014
【図１２】
2012125276.tif 000015
【図１３】
2012125276.tif 000016
【図１４】
2012125276.tif 000017